(57)【要約】      （修正有）【課題】Ｘ線撮影装置、並びにＭＲＩ撮影装置、並びにＣＴスキャン撮影装置を保有しないで開業している医師または柔道整復師または鍼灸師が利用契約と課金契約を結び任意の時間にインターネット上に用意された予約用画面から撮影の予約をすることを可能とする。【解決手段】撮影設備を持つ病院または検査センター５１が、インターネットを利用した撮影予約画面をソフトウエアーで表示して撮影設備を持たない利用者（医院）５２が所望する情報を提供すると同時に、日時、部位の選択を可能としてその内容を記憶媒体に保管しておき、撮影済み画像を電子データとして利用者５２には電送する処理を行った後にその内容に応じた課金を行う。【選択図】図６
2007193761.tif 000002
【特許請求の範囲】
【請求項１】
Ｘ線撮影装置、並びにＭＲＩ撮影装置、並びにＣＴスキャン撮影装置を保有する病院または医院または検査センターが、開業している医師または柔道整復師または鍼灸師と利用契約を結んでパスワードを利用契約者に対して発行し、インターネット上に検査の予約を受け付ける予約用画面を用意することにより、利用契約者がパスワードを使ってＸ線撮影装置、並びにＭＲＩ撮影装置、並びにＣＴスキャン撮影から所望の種類の撮影を予約画面から指定することができると同時に予約用画面に表示されている他の予約が行われていない日時から所望の日時を選択することが可能であることに加えて撮影が実際に行われた後の結果画像は電子画像ファイルとして利用契約者に可及的早期に電子送信されて業務の迅速性を図るという仕組みを構築して利用代金を課金するビジネスモデル。
【発明の詳細な説明】
【発明の詳細な説明】
【技術分野】
【０００１】本発明は、Ｘ線撮影装置、並びにＭＲＩ撮影装置、並びにＣＴスキャン撮影装置を保有していない開業している医師または柔道整復師または鍼灸師が利用契約と課金契約を結び任意の時間にインターネット上に用意された予約用画面から撮影の予約をすることを可能として利用契約者のパスワード入力の整合性を確認した上で所望の種類の撮影を指定することができるようにすると同時に、予約用画面に表示されている他の予約が行われていない日時から所望の日時を任意に選択することができるようにして利用契約者に利便性を与えることと実際に撮影が行われた結果画像は電子画像ファイルとして利用契約者に対して可及的早期に電子送信することにより業務の迅速性も併せて図られるという仕組みを有料で提供して利用代金を課金するというビジネスモデルに関する。
【背景技術】
【０００２】
【０００３】開業している医師または柔道整復師または鍼灸師が該患者に対してＸ線撮影またはＭＲＩ撮影またはＣＴスキャン撮影を他の病院または検査センターに依頼して撮影を行いその画像を見て診断をしたいと考えた時にはどの病院または検査センターに希望する性能の機器があるかという情報を収集した上で病院または検査センターに対して電話またはファックスまたは書面で機器の空き具合の打診を行って日時を確定してから該患者に決定事項を知らせるとともに作成した紹介状を持たせて所望の撮影を受けさせていた。【０００４】病院の中にはインターネットを利用した独自の予約の仕組みを構築している場合もあるが、電話またはファックスまたは書面で撮影予約を行っていることをメールに置き換えて電子化しているだけでシステム化されたものでは無い。
【発明が解決しようとする課題】
【０００５】従来の撮影予約は、医師または柔道整復師または鍼灸師が他の病院の撮影機器の有無や性能知ることには限界があり、該患者の症状で確認したい部位の撮影結果が診断に耐えうる映像として得られるものかどうかは事前にはわからない。
【０００６】加えて撮影済みの画像を貸し出してくれなかったり、あるいは貸し出しを受けても一定期間内で返還を求められたりするため将来の参考資料として自己が保有しておくことが許されないという不便さがある。
【０００７】他方該患者にとっても紹介状を毀損や紛失をした場合には医師または柔道整復師または鍼灸師に再度紹介状の作成を依頼しなければならないという煩雑さが発生することに加えて、検査を行う側に該患者の撮影部位や撮影角度の情報が当日開封する紹介状を見るまでは詳細な情報が無く撮影に要する時間が増減する結果、該患者が長時間待たされてしまうようなことがある。
【０００８】諸般の事情で予約を取り消したい時には病院または検査センターに電話またはファックスまたは書面で取り消しの手続きを行わなければならず、数回の変更を余儀なくされたような時には相手側病院または検査センターとの信頼関係の損壊にまで発展してしまうこともあった。
【０００９】数ヶ月先の撮影の予約をしたい場合や一定期間をおいて複数回の予約をしたい場合には相手方の病院または検査センター側の都合が把握できないことから撮影の予約をすることは困難である。
【課題を解決するための手段及び発明の効果】
【００１０】前記課題を解決するため請求項記載の発明は、高度なＸ線撮影装置、並びにＭＲＩ撮影装置、並びにＣＴスキャン撮影装置を保有していない開業している医師または柔道整復師または鍼灸師が利用契約と課金契約を結び任意の時間にインターネット上に用意された予約用画面から撮影の予約をすることを可能として利用契約者のパスワード入力の整合性を確認した上で所望の種類の撮影を指定することができるようにすると同時に、予約用画面に表示されている他の予約が行われていない日時から所望の日時を任意に選択することができるようにして利用契約者に利便性を与えることと実際に撮影が行われた結果画像は電子画像ファイルとして利用契約者に対して可及的早期に電子送信することにより業務の迅速性も併せて図られるという仕組みを有料で提供して利用代金を課金するというビジネスモデルを構築することを目的とする。
【発明を実施するための最良の形態】以下、本発明の実施例を図面に基づいて説明する。【００１１】Ｘ線撮影装置、並びにＭＲＩ撮影装置、並びにＣＴスキャン撮影装置を備えた病院または検査センターがインターネットを介して撮影予約ができるソフトウエアーを用意する。
その先頭部分では保有している機器の個々の性能や仕様を解りやすく詳細に示して利用契約を希望する人が期待する能力を持っているかどうかの判断をしやすくする。
利用契約者がそのソフトウエアーを使用して予約される内容には撮影日時、被撮影者の健康保険証情報、撮影部位及びＸ線撮影、ＭＲＩ撮影、ＣＴスキャン撮影のいずれかを行うのかの機器種類指定、必要時間、予約番号である。【００１２】このソフトウエアーにはパスワードの入力が必要でこれを持たない者の利用は出来ない仕組みとなっていて、パスワードの発行を受けるためには図１に示すように医師または柔道整復師または鍼灸師の資格を持つ者がＸ線撮影装置、並びにＭＲＩ撮影装置、並びにＣＴスキャン撮影装置を備えた病院または検査センターと所定の事項に従って遵守事項や課金規定に合意ができた場合に前記の病院または検査センターから図２に示すようにパスワードの発行を受けることができる。【００１３】このようにしてパスワードを得た利用契約者が自己の受診患者に撮影の必要を感じたときは図３の４に示されるパソコンにインターネットを介して接続を行い、利用契約者が持つパスワードを使用して予約受付画面を起動させる。
パソコンの画面には撮影機器の種類ごとに他の利用契約者によって予約されていない日時が表形式に表示されており、所望の日時に対応する部分をマウスでクリックして撮影予約を確定させた後引き続いて被撮影者の健康保険証情報、撮影部位及びＸ線撮影、ＭＲＩ撮影、ＣＴスキャン撮影のいずれかを行うのかの機器種類指定を行うことによってあらかじめパソコン側ソフトウエアーに設定されているデータが図３の７に示されている記憶媒体から読み出されて必要時間及び予約番号が決定される。【００１４】この詳細な具体例を図４のフローチャートによって説明する。
利用契約者は自己の保有するパソコンの電源を入れて１の状態から２のインターネットを開始して撮影を行う病院または検査センターに設置されているパソコンに備えられたソフトウエアーに接続を行う。
３の開始画面でパスワードの入力を求められるのでパスワードを持たない者はここから先に進むことはできない。【００１５】パスワードを持つ者は４の予約受付画面に進み５に示すように撮影日時と、Ｘ線撮影、ＭＲＩ撮影、ＣＴスキャン撮影のいずれを行うのかの機器種類指定を行う。
この時撮影を行う病院または検査センターに設置されているパソコンに備えられたソフトウエアーが７の記憶媒体に保管されている他の利用者の予約データーを参照して日時が重複してしまう場合は１０に示すように利用者が理解し易いメッセージを表示した後再度希望日時の選択を促す。【００１６】希望日時に他の利用契約者と重複が無い場合は８で被撮影者の健康保険証情報、撮影部位、必要に応じて注釈やコメントのテキスト文字を入力して完了の意思表示をキーボードから行うことで７の記憶媒体に必要事項を記録する。
この後必要時間と予約番号が４の画面に表示されるので利用者はそれを印刷またはメモして撮影が必要な該患者へ知らしめる。
紹介状や受診票は必要無く該患者の管理責任は大きく軽減され、諸般の事情で予約取り消しを希望する際も利用契約者が再度図４に示される予約行為を行えば解決するという利便性も得られる。【００１７】数ヶ月先の撮影の予約をしたい場合や一定期間をおいて複数回の予約をしたい場合であっても相手方の病院または検査センター側の都合や予約状況が図４に示すように正確に把握できることから任意の撮影の予約をすることができるようになる。
該患者は所定の日時に撮影を行う病院または検査センターに行くことで、待ち時間無く希望通りの時間に事前の情報で確認されている目的の機器によって必要な部位の撮影を受けることができる。【００１８】撮影を行う側も従来は該患者の撮影部位や撮影角度や疾病の情報が撮影当日に紹介状を開封して書かれている内容を見るまでは詳細な情報が無く撮影に要する時間が増減する結果、該患者を長時間待たせてしまうようなことがあったが、本発明によれば撮影の予約の際に必要事項は全て事前に通知されているので混乱無く速やかな撮影が可能となることに加え機器の空き時間が最小限に抑えられるので採算性も向上する。【００１９】撮影された画像は図５に示すように主治医たる利用契約者のところに電子データ化された上に必要な所見がテキストデータとして付与されて届けられ同じ内容が７に電子データとして残されることから該患者は撮影が終了後、撮影結果の説明を希望しないでそのまま帰宅することもできる。
説明を受ける必要がある時は後日主治医から前記の電子化データを基に主治医の主観を加えた説明を得ることができる。
これにより重複説明の時間が節減されることと、撮影画像を読影した医師からの所見に関する手紙を渡されて主治医に届けるような必要も無く帰宅できる。【００２０】利用契約者は電子データ化された画像を持つことが出来るので、貸し出しを受けられないとか返還期間を定められることも無くなるし万が一画像データを紛失しても７に残されている画像データを再請求すれば再取得できるという効果も得られる。【００２１】前述の各効果を提供することの対価を得るビジネスモデルは図６に示す撮影設備を持たない医院が撮影設備を持つ病院または検査センター５１と医院５２が利用契約と課金契約を結んでパスワードを５２が取得した後に１００に示すように５１に撮影日時等の予約を完成して１０１に示すように５１から電子化画像データを受け取り５１は１０２に示すとおり５２に対して利用契約金や電子化画像データの送信費用の請求を起こしこれを受けて５２は５１に対して１０３に示すように決められた所定の方法で支払いをするという一連の仕組みである。
【産業上の利用可能性】
【００２２】本発明はＸ線撮影装置またはＭＲＩ撮影装置またはＣＴスキャン撮影装置によって頻繁に撮影を行う必要の無い医師または柔道整復師または鍼灸師から高価な撮影用の機器を購入する必要を無くしたにもかかわらずインターネットを介したソフトウエアーによって従来技術に比較して利便性に優れた撮影の予約方法が確保されることと、撮影画像が病院または検査センターから電子データとして瞬時に電送されてきて速やかな診断が可能となるので頻繁に撮影を行う必要の無い医師または柔道整復師または鍼灸師に広く利用されることが期待できる。【００２３】このことからＸ線撮影装置、並びにＭＲＩ撮影装置、並びにＣＴスキャン撮影装置を備えた病院または医院または検査センターにあっても利用契約者が個々に行う予約作業結果の処理をソフトウエアーに委ねるため対応に要する人員は必要とせず高価なＸ線撮影装置またはＭＲＩ撮影装置またはＣＴスキャン撮影装置も効率良く稼動させることができるので早期に償却ができることに加えて撮影済み画像の電子データ送付料金や利用契約料の収入がもたらされるので双方に意義のあるビジネスモデルとして社会に広く利用されることが期待できる。
【図面の簡単な説明】
【００２４】
【図１】この発明の一実施形態を示す病院や検査センターとの登録と課金契約の模式図である。
【図２】この発明の一実施形態を示すパスワードを発行する模式図である
【図３】この発明の一実施形態を示す画像撮影の予約方法を示す模式図である。
【図４】画像撮影の予約を行う際の仕組みを示す模式図である。
【図５】撮影画像を依頼者に電子データ化して配信する模式図である。
【図６】課金の仕組みを示す模式図である。
【符号の説明】
１  本発明の予約システムに利用契約者が接続する開始点。
２  インターネット。
３  拠点病院または検査センターの予約用ソフトウエアー。
４  予約受付画面。
５  利用者に対して空いている日時を表示する画面。
６  利用者が希望日時を入力するためのキーボード。
７  入力された日時が空いているかどうかの判定。
８  指定された日時と部位及び必要時間などの情報を記憶媒体に登録。
９  終了。
５１  Ｘ線撮影装置とＭＲＩ撮影とＣＴスキャンとを保有している病院または検査            センター。
５２  利用者契約を上記病院または検査センターと結びパスワードが発行されてい            る開業医。
５３  利用者契約を上記病院または検査センターと結びパスワードが発行されてい            る病院。
５４  利用者契約を上記病院または検査センターと結びパスワードが発行されてい            る接骨院。
５５  利用者契約を上記病院または検査センターと結びパスワードが発行されてい            る鍼灸院。
５６  利用者契約を上記病院または検査センターと結びパスワードが発行されてい            る医業関係者。
５７  利用者契約を上記病院または検査センターと結びパスワードが発行されてい            る開業医で受診していて撮影を必要とする患者。
５８  利用者契約を上記病院または検査センターと結びパスワードが発行されてい            る病院で受診していて撮影を必要とする患者。
５９  利用者契約を上記病院または検査センターと結びパスワードが発行されてい            る接骨院で受診していて撮影を必要とする患者。
６０  利用者契約を上記病院または検査センターと結びパスワードが発行されてい            る鍼灸院で受診していて撮影を必要とする患者。
６１  利用者契約を上記病院または検査センターと結びパスワードが発行されてい            る医業関係者で受診していて撮影を必要とする患者。
１００  利用者が予約や訂正データをセンターに送る模式図。
１０１  センターから撮影済み画像の電子データが送られる模式図。
１０２  利用内容に応じた料金を請求する模式図。
１０３  利用者が請求内容に応じた金額を支払う模式図。
【図１】
2007193761.tif 000003
【図２】
2007193761.tif 000004
【図３】
2007193761.tif 000005
【図４】
2007193761.tif 000006
【図５】
2007193761.tif 000007
【図６】
2007193761.tif 000008